(57)【特許請求の範囲】
【請求項１】
自転車スマート補助システムであって、自転車、スマートコントロールシステム及び表示コントロールシステムを有し、
前記スマートコントロールシステムは、前記自転車の車体フレームに設置され、
前記表示コントロールシステムは、前記自転車のハンドルに設置され、
前記スマートコントロールシステムと前記表示コントロールシステムとの間は、無線信号伝送により相互に連結され、
前記スマートコントロールシステムは、スマートコントロール装置、感知装置、カメラレンズ装置、ライティング装置、警告装置及びパワーサプライ装置を有し、且つ相互間は電気的に連接され、
前記スマートコントロール装置は、マイクロプロセッサー、データ保存装置及び無線通信モジュールを有し、且つ相互間は電気的に連接され、
前記感知装置は、光センサー、温度センサー、重力センサー、気圧計、ジャイロメーター、電子コンパス、レーダーセンサー、ＧＰＳシステムセンサーの内の何れか一つ、或いは任意の組合せを有し、
前記カメラレンズ装置は、リア撮影カメラレンズを有し、
前記ライティング装置は、補助ライト、テールランプ、インジケーター、装飾ランプの内の何れか一つ、或いは任意の組合せを有し、
前記警告装置は、スピーカー、バイブレーターの内の何れか一つ、或いは任意の組合せを有し、
前記表示コントロールシステムは、表示スクリーン、コントロール処理モジュール、データ通信装置及び電源モジュールを有し、且つ相互間は電気的に連接されることを特徴とする自転車スマート補助システム。
【請求項２】
前記スマートコントロールシステムの前記パワーサプライ装置は、充電電池モジュール、風力エネルギーモジュール、運動エネルギー発電モジュールの内の何れか一つ、或いは任意の組合せを有し、
前記風力エネルギーモジュールは、風力転換アセンブリを設置する前記自転車の車体フレームに連接し、
前記運動エネルギー発電モジュールは、運動エネルギー転換アセンブリを設置する前記自転車の伝動ギアに連接されることを特徴とする請求項１に記載の自転車スマート補助システム。
【請求項３】
自転車スマート補助システムは、自転車、スマートコントロールシステム及び表示コントロールシステムを有し、
前記スマートコントロールシステムは、前記自転車の騎乗者のバッグパックに設置され、
前記表示コントロールシステムは、前記自転車のハンドルに設置され、
前記スマートコントロールシステムと前記表示コントロールシステムとの間は、無線信号伝送により相互に連結され、
前記スマートコントロールシステムは、スマートコントロール装置、感知装置、カメラレンズ装置、ライティング装置、警告装置及びパワーサプライ装置を有し、且つ相互間は電気的に連接され、
前記スマートコントロール装置は、マイクロプロセッサー、データ保存装置及び無線通信モジュールを有し、且つ相互間は電気的に連接され、
前記感知装置は、光センサー、温度センサー、重力センサー、気圧計、ジャイロメーター、電子コンパス、レーダーセンサー、ＧＰＳシステムセンサーの内の何れか一つ、或いは任意の組合せを有し、
前記カメラレンズ装置は、リア撮影カメラレンズを有し、
前記ライティング装置は、補助ライト、テールランプ、インジケーター、装飾ランプの内の何れか一つ、或いは任意の組合せを有し、
前記警告装置は、スピーカー、バイブレーターの内の何れか一つ、或いは任意の組合せを有し、
前記表示コントロールシステムは、表示スクリーン、コントロール処理モジュール、データ通信装置及び電源モジュールを有し、且つ相互間は電気的に連接されることを特徴とする自転車スマート補助システム。
【請求項４】
前記スマートコントロールシステムの前記パワーサプライ装置は、充電電池モジュールを使用することを特徴とする請求項３に記載の自転車スマート補助システム。
【請求項５】
前記自転車スマート補助システムは、補助装置をさらに有し、
前記補助装置は、マイク、ベルプッシュボタン、ライトコントロールスイッチの内の何れか一つ、或いは任意の組合せを有し、
前記マイクと前記スマートコントロールシステムの前記スマートコントロール装置との相互間は電気的に連接され、
前記ベルプッシュボタンは、前記自転車のハンドルに設置され、且つ有線連接或いは無線伝送の方式により、前記スマートコントロールシステムのスマートコントロール装置に連結され、
前記ライトコントロールスイッチは、前記自転車のハンドルに設置され、且つ有線連接或いは無線伝送の方式により、前記スマートコントロールシステムのスマートコントロール装置に連結されることを特徴とする請求項２或いは４に記載の自転車スマート補助システム。
【請求項６】
前記表示コントロールシステムの前記表示スクリーンは、タッチパネルであることを特徴とする請求項５に記載の自転車スマート補助システム。
【請求項７】
前記表示コントロールシステムは、スマートフォン或いはタブレットＰＣであることを特徴とする請求項６に記載の自転車スマート補助システム。
【発明の詳細な説明】
【技術分野】
【０００１】
本発明は自転車スマート補助システムに関し、特に自転車に使用するスマート補助システムに関する。
【背景技術】
【０００２】
自転車はすでに十分に長い期間発展しているが、電子部分の多くは簡単なヘッドライト、テールランプ、速度メーターや走行距離メーターにとどまっている。
リアビュー（ＲＥＡＲ  ＶＩＥＷ）システムは開発されているが、撮影ヘッドとスクリーンとの単純な結合に過ぎず、機能は簡単で実用的でないため、使っている自転車騎乗車は多くない。
【０００３】
だが、自転車がにぎやかな都市、或いは田舎の田畑にある際には、自転車に騎乗するリスクは他の交通手段に決して引けを取らない。
しかし、騎乗車が夜間にヘッドライトとテールランプのスイッチの取り付け或いはオンを忘れ、或いは振り返って後ろを見ながら前方の状況への注意を怠っている様子がしばしば見られる。
さらには、音楽を聴こうとして、プレーヤーや携帯電話端末をハンドル或いはボディ上に掛けたり、固定しようとすることもある。
しかし、電子技術は急速に進歩しているにもかかわらず、自転車上に使用することはできないため、自転車の電子補助装置にはさらに大きな進歩の余地があると言える。
【発明の概要】
【発明が解決しようとする課題】
【０００４】
本発明はスマートコントロールシステム、表示コントロールシステム及び補助装置の設置により、自転車は中、短距離の交通手段或いはフィットネスとして使用される基本的機能の他に、リアルタイムのＧＰＳナビゲーション、道路画像表示、走行データ記録、自転車本体盗難防止、ライティングサウンドアラート、ラジオ／音楽再生等機能を使用者に提供でき、自転車走行の安全性を大幅に高めることができるだけでなく、快適で楽しく、娯楽とレジャーの機能を兼ね備えた騎乗体験を使用者に提供することができる自転車スマート補助システムに関する。
【課題を解決するための手段】
【０００５】
本発明による自転車スマート補助システムは、自転車、スマートコントロールシステム、表示コントロールシステム及び補助装置を有する。
該スマートコントロールシステムは、該自転車の車体フレームに設置される。
該表示コントロールシステムは、該自転車のハンドルに設置される。
該スマートコントロールシステムと該表示コントロールシステムとの間は、無線信号伝送により相互に連結される。
【発明の効果】
【０００６】
本発明は、スマートコントロールシステム、表示コントロールシステム及び補助装置の設置により、自転車は中、短距離の交通手段或いはフィットネスとして使用される基本的機能の他に、リアルタイムのＧＰＳナビゲーション、道路画像表示、走行データ記録、自転車本体盗難防止、ライティングサウンドアラート、ラジオ／音楽再生等機能を使用者に提供でき、自転車走行の安全性を大幅に高めることができるだけでなく、快適で楽しく、娯楽とレジャーの機能を兼ね備えた騎乗体験を使用者に提供することができる。
【図面の簡単な説明】
【０００７】
【図１】本発明のシステム構造図（一）である。
【図２】本発明のシステム構造図（二）である。
【図３】スマートコントロールシステムの後側模式図である。
【図４】本発明の実施形態図（一）図である。
【図５】本発明の実施形態図（二）図である。
【発明を実施するための形態】
【０００８】
以下に本発明の技術内容、構造特徴、達成する目的及び作用効果について、以下に例を挙げ並びに図面を組み合わせて詳細に説明する。
【０００９】
実施形態一
図１〜図４に示す通り、自転車スマート補助システム１は、自転車２、スマートコントロールシステム３、表示コントロールシステム４及び補助装置５を有する。
スマートコントロールシステム３は、自転車２の車体フレームに設置される。表示コントロールシステム４は、自転車２のハンドルに設置される。スマートコントロールシステム３と表示コントロールシステム４との間は、無線信号伝送により相互に連結される。
【００１０】
スマートコントロールシステム３は、スマートコントロール装置３１、感知装置３２、カメラレンズ装置３３、ライティング装置３４、警告装置３５及びパワーサプライ装置３６を有し、且つ相互間は電気的に連接される。
表示コントロールシステム４は、表示スクリーン４１、コントロール処理モジュール４２、データ通信装置４３及び電源モジュール４４を有し、且つ相互間は電気的に連接される。
表示スクリーン４１は、タッチパネルを使用する。表示コントロールシステム４は、スマートフォン或いはタブレットＰＣにより置換することもできる。
【００１１】
スマートコントロール装置３１は、マイクロプロセッサー３１１、データ保存装置３１２及び無線通信モジュール３１３を有し、且つ相互間は電気的に連接される。
感知装置３２は、光センサー３２１、温度センサー３２２、重力センサー３２３、気圧計３２４、ジャイロメーター３２５、電子コンパス３２６、レーダーセンサー３２７及びＧＰＳシステムセンサー３２８を有する。
光センサー３２１は、環境の明るさの探知に用いる。温度センサー３２２は、環境温度と座席２１温度の探知に用いる。重力センサー３２３は、自転車２の加速状態或いは震動の探知に用いる。気圧計３２４は、相対的な高度変化或いは気候変化の探知に用いる。ジャイロメーター３２５は、自転車２の動態走行或いは静態相対角度の探知に用いる。電子コンパス３２６は、自転車２の動態走行方向或いは静態配置方向の探知に用いる。レーダーセンサー３２７は、後方車両と自転車２との相対距離の探知に用いる。ＧＰＳシステムセンサー３２８は、自転車２所在地の探知に用い、走行ナビゲーションに用いることができる。
【００１２】
カメラレンズ装置３３は、リア撮影カメラレンズ３３１を有し、リア撮影カメラレンズ３３１は自転車２後方のリアルタイム画像を撮影するために用いられる。
ライティング装置３４は、補助ライト３４１、テールランプ３４２、インジケーター３４３及び装飾ランプ３４４を有する。
補助ライト３４１は、光を投射し、ライトとして使用される。テールランプ３４２は、ライトを点灯させ、或いは点滅させることで、自転車２の後方における車体アラート或いはブレーキ表示を行う。インジケーター３４３は、ライトを点灯させ、或いは点滅させることで、自転車２の後方における進行方向表示に用いる。装飾ランプ３４４は、ライトを点灯させ、或いは点滅させることで、シチュエーションライト、或いは装飾ランプとする。
警告装置３５は、スピーカー３５１とバイブレーター３５２を有する。
スピーカー３５１は、音声説明、サウンドアラート（盗難防止或いは注意喚起）、ベル音声及び音楽再生に使用する。バイブレーター３５２は、自転車２の車体フレームを震動させることで、注意喚起或いはアラートの用途に用いる。
【００１３】
スマートコントロール装置３１は、画像の圧縮／解凍、音声の圧縮／解凍、データの発送と受信及び数値の計算比較対象分析と自動コントロールの機能の処理に主に用いられる。
表示コントロールシステム４は、スマートコントロール装置３１の画像内容或いは数値データを表示し、スマートコントロール装置３１に対して対応するコントロール設定を行うことができる。
スマートコントロール装置３１の無線通信モジュール３１３と表示コントロールシステム４のデータ通信装置４３は、ＷＩＦＩ（登録商標）、ブルートゥース（登録商標）、携帯電話のインターネットアクセスメカニズム或いは一般の２．４Ｇ周波数帯域の電磁波などの無線電波により、数値データの伝送と受信を行う。
【００１４】
スマートコントロールシステム３のパワーサプライ装置３６は、充電電池モジュールを使用する。パワーサプライ装置３６は、充電電池モジュール、風力エネルギーモジュール、運動エネルギー発電モジュールの内の何れか一つ、或いは任意の組合せから選択する。
使用において、風力エネルギーモジュールは、風力転換アセンブリを設置する自転車２の車体フレームに連接する。運動エネルギー発電モジュールは、運動エネルギー転換アセンブリを設置する自転車２の伝動ギアに連接される。
【００１５】
補助装置５は、マイク５１、ベルプッシュボタン５２及びライトコントロールスイッチ５３を有する。
マイク５１は、スマートコントロールシステム３のスマートコントロール装置３１との間は電気的に連接され、且つ音声のインプット、識別或いは走行環境の音声、談話の録音に用いられる。ベルプッシュボタン５２は、自転車２のハンドルに設置され、且つ無線伝送の方式によりスマートコントロールシステム３のスマートコントロール装置３１に連結される。
ベルプッシュボタン５２は、信号を発信することで、スピーカー３５１をコントロールしベル音声を発生させる。ライトコントロールスイッチ５３は、自転車２のハンドルに設置され、且つ無線伝送の方式によりスマートコントロールシステム３のスマートコントロール装置３１に連結される。
ライトコントロールスイッチ５３は、信号を発信することで、補助ライト３４１、テールランプ３４２、インジケーター３４３或いは装飾ランプ３４４をコントロールし、ライトのオン、オフ或いは対応するライト点滅効果を生じさせる。
ベルプッシュボタン５２或いはライトコントロールスイッチ５３は、有線連接の方式を使用し、スマートコントロールシステム３のスマートコントロール装置３１に連結される。
【００１６】
実施形態二
図１〜図３及び図に示す通り、自転車スマート補助システム１は、自転車２、スマートコントロールシステム３、表示コントロールシステム４及び補助装置５を有する。
スマートコントロールシステム３は、自転車騎乗者のバッグパックに設置される。表示コントロールシステム４は、自転車２のハンドルに設置される。スマートコントロールシステム３と表示コントロールシステム４との間は、無線信号伝送により相互に連結される。
【００１７】
スマートコントロールシステム３は、スマートコントロール装置３１、感知装置３２、カメラレンズ装置３３、ライティング装置３４、警告装置３５及びパワーサプライ装置３６を有し、且つ相互間は電気的に連接される。
表示コントロールシステム４は、表示スクリーン４１、コントロール処理モジュール４２、データ通信装置４３及び電源モジュール４４を有し、且つ相互間は電気的に連接される。
表示スクリーン４１は、タッチパネルを使用する。
表示コントロールシステム４は、スマートフォン或いはタブレットＰＣにより置換することもできる。
【００１８】
スマートコントロール装置３１は、マイクロプロセッサー３１１、データ保存装置３１２及び無線通信モジュール３１３を有し、且つ相互間は電気的に連接される。
感知装置３２は、光センサー３２１、温度センサー３２２、重力センサー３２３、気圧計３２４、ジャイロメーター３２５、電子コンパス３２６、レーダーセンサー３２７及びＧＰＳシステムセンサー３２８を有する。
光センサー３２１は、環境の明るさの探知に用いる。温度センサー３２２は、環境温度と座席２１温度の探知に用いる。重力センサー３２３は、自転車２の加速状態或いは震動の探知に用いる。気圧計３２４は、相対的な高度変化或いは気候変化の探知に用いる。ジャイロメーター３２５は、自転車２の動態走行或いは静態相対角度の探知に用いる。電子コンパス３２６は、自転車２の動態走行方向或いは静態配置方向の探知に用いる。レーダーセンサー３２７は、後方車両と自転車２との相対距離の探知に用いる。ＧＰＳシステムセンサー３２８は、自転車２所在地の探知に用い、走行ナビゲーションに用いることができる。
【００１９】
カメラレンズ装置３３は、リア撮影カメラレンズ３３１を有し、リア撮影カメラレンズ３３１は自転車２後方のリアルタイム画像を撮影するために用いられる。
ライティング装置３４は、補助ライト３４１、テールランプ３４２、インジケーター３４３及び装飾ランプ３４４を有する。
補助ライト３４１は、光を投射し、ライトとして使用される。テールランプ３４２は、ライトを点灯させ、或いは点滅させることで、自転車２の後方における車体アラート或いはブレーキ表示を行う。インジケーター３４３は、ライトを点灯させ、或いは点滅させることで、自転車２の後方における進行方向表示に用いる。装飾ランプ３４４は、ライトを点灯させ、或いは点滅させることで、シチュエーションライト、或いは装飾ランプとする。
警告装置３５は、スピーカー３５１とバイブレーター３５２を有する。
スピーカー３５１は、音声説明、サウンドアラート（盗難防止或いは注意喚起）、ベル音声及び音楽再生に使用する。バイブレーター３５２は、自転車騎乗者のバッグパックを震動させることで、注意喚起或いはアラートの用途に用いる。
【００２０】
スマートコントロール装置３１は、画像の圧縮／解凍、音声の圧縮／解凍、データの発送と受信及び数値の計算比較対象分析と自動コントロールの機能の処理に主に用いられる。
表示コントロールシステム４は、スマートコントロール装置３１の画像内容或いは数値データを表示し、スマートコントロール装置３１に対して対応するコントロール設定を行うことができる。
スマートコントロール装置３１の無線通信モジュール３１３と表示コントロールシステム４のデータ通信装置４３は、ＷＩＦＩ（登録商標）、ブルートゥース（登録商標）、携帯電話のインターネットアクセスメカニズム或いは一般の２．４Ｇ周波数帯域の電磁波などの無線電波により、数値データの伝送と受信を行う。
【００２１】
スマートコントロールシステム３のパワーサプライ装置３６は、充電電池モジュールを使用する。
【００２２】
補助装置５は、マイク５１、ベルプッシュボタン５２及びライトコントロールスイッチ５３を有する。
マイク５１は、スマートコントロールシステム３のスマートコントロール装置３１との間は電気的に連接され、且つ音声のインプット、識別或いは走行環境の音声、談話の録音に用いられる。ベルプッシュボタン５２は、自転車２のハンドルに設置され、且つ無線伝送の方式によりスマートコントロールシステム３のスマートコントロール装置３１に連結される。
ベルプッシュボタン５２は、信号を発信することで、スピーカー３５１をコントロールしベル音声を発生させる。ライトコントロールスイッチ５３は、自転車２のハンドルに設置され、且つ無線伝送の方式によりスマートコントロールシステム３のスマートコントロール装置３１に連結される。
ライトコントロールスイッチ５３は、信号を発信することで、補助ライト３４１、テールランプ３４２、インジケーター３４３或いは装飾ランプ３４４をコントロールし、ライトのオン、オフ或いは対応するライト点滅効果を生じさせる。
ベルプッシュボタン５２或いはライトコントロールスイッチ５３は、有線連接の方式を使用し、スマートコントロールシステム３のスマートコントロール装置３１に連結される。
【００２３】
本発明は、スマートコントロールシステム３、表示コントロールシステム４及び補助装置５の設置により、自転車２は中、短距離の交通手段或いはフィットネスとして使用される基本的機能の他に、リアルタイムのＧＰＳナビゲーション、道路画像表示、走行データ記録、自転車本体盗難防止、ライティングサウンドアラート、ラジオ／音楽再生等機能を使用者に提供でき、自転車２走行の安全性を大幅に高めることができるだけでなく、快適で楽しく、娯楽とレジャーの機能を兼ね備えた騎乗体験を使用者に提供することができる。
【００２４】
上述の実施例は僅かに本発明の原理及びその作用効果を説明するものであり、本発明を制限するものではない。これにより、この発明の属する技術の分野における通常の知識を有する者が上述の実施例に対してなし得る修正或いは変化は、すなわち、本発明の精神より逸脱しない。本発明はすでに産業上の利用性、新規性及び進歩性を有し、並びに特許の要件を満たす。
【符号の説明】
【００２５】
１  自転車スマート補助システム
２  自転車
３  スマートコントロールシステム
３１  スマートコントロール装置
３１１  マイクロプロセッサー
３１２  データ保存装置
３１３  無線通信モジュール
３２  感知装置
３２１  光センサー
３２２  温度センサー
３２３  重力センサー
３２４  気圧計
３２５  ジャイロメーター
３２６  電子コンパス
３２７  レーダーセンサー
３２８  ＧＰＳシステムセンサー
３３  カメラレンズ装置
３３１  リア撮影カメラレンズ
３４  ライティング装置
３４１  補助ライト
３４２  テールランプ
３４３  インジケーター
３４４  装飾ランプ
３５  警告装置
３５１  スピーカー
３５２  バイブレーター
３６  パワーサプライ装置
４  表示コントロールシステム
４１  表示スクリーン
４２  コントロール処理モジュール
４３  データ通信装置
４４  電源モジュール
５  補助装置
５１  マイク
５２  ベルプッシュボタン
５３  ライトコントロールスイッチ
【図１】
0006413186.tif 000002
【図２】
0006413186.tif 000003
【図３】
0006413186.tif 000004
【図４】
0006413186.tif 000005
【図５】
0006413186.tif 000006